(57)【要約】【課題】光ファイバ同士を確実に接続することができるとともに、接続状態の光ファイバが抜けにくいメカニカルスプライスを提供すること。【解決手段】ハウジング２に収容された光ファイバ１７，１８をハウジング２に固定するためにハウジング２の一端部に光ファイバ挿入可能位置から光ファイバ固定位置へ回転可能な第１レバー８を設け、ハウジング２の他端部に光ファイバ挿入可能位置から光ファイバ固定位置へ回転可能な第２レバー９を設ける。第１レバー８が光ファイバ挿入可能位置から光ファイバ固定位置へ動いたとき、光ファイバ１７の端部が光ファイバ１８の端部に送られるとともに、ハウジング２に固定される。第２レバー９が光ファイバ挿入可能位置から光ファイバ固定位置へ動いたとき、光ファイバ１８の端部が光ファイバ１７の端部に送られるとともに、ハウジング２に固定される。【選択図】図２Ａ
0003121157.tif 000002
【実用新案登録請求の範囲】
【請求項１】
一方の光ファイバの端部とこれに接続される他方の光ファイバの端部とを収容するハウジングと、
前記ハウジングに収容された前記両方の光ファイバを前記ハウジングに固定するための光ファイバ固定手段とを備え、
前記光ファイバ固定手段は、
前記ハウジングの一端部に装着され、光ファイバ挿入可能位置から光ファイバ固定位置へ動いたとき、前記一方の光ファイバの端部を前記他方の光ファイバの端部に送るとともに前記ハウジングに固定する第１の可動部材と、
前記ハウジングの他端部に装着され、前記光ファイバ挿入可能位置から前記光ファイバ固定位置へ動いたとき、前記他方の光ファイバの端部を前記一方の光ファイバの端部に送るとともに前記ハウジングに固定する第２可動部材とを有する
ことを特徴とするメカニカルスプライス。
【請求項２】
前記ハウジングは、前記両方の光ファイバの端部を収容するファイバ収容孔を有し、
前記ファイバ収容孔は、前記一方の光ファイバの端部を撓ませるための第１の予圧空間部と、前記他方の光ファイバの端部を撓ませるための第２の予圧空間部とを有する
ことを特徴とする請求項１記載のメカニカルスプライス。
【請求項３】
前記第１、第２の可動部材はいずれも回転式のレバーであって、
前記第１の可動部材は、
前記光ファイバ挿入可能位置から前記光ファイバ固定位置まで回転したとき、前記ハウジングの一端部に係合する第１の係合部と、
前記光ファイバ挿入可能位置から前記光ファイバ固定位置まで回転する途中で、前記一方の光ファイバの被覆部に食い込んで前記一方の光ファイバを前記他方の光ファイバの端部へ送る第１の送り部と、前記光ファイバ挿入可能位置から前記光ファイバ固定位置まで回転したとき、前記一方の光ファイバを前記ファイバ収容孔の内周面に押圧する第１の押圧部とを有し、
前記第２の可動部材は、
前記光ファイバ挿入可能位置から前記光ファイバ固定位置まで回転したとき、前記ハウジングの他端部に係合する第２の係合部と、
前記光ファイバ挿入可能位置から前記光ファイバ固定位置まで回転する途中で、前記他方の光ファイバの被覆部に食い込んで前記他方の光ファイバを前記一方の光ファイバの端部へ送る第２の送り部と、前記光ファイバ挿入可能位置から前記光ファイバ固定位置まで回転したとき、前記他方の光ファイバを前記ファイバ収容孔の内周面に押圧する第２の押圧部とを有する
ことを特徴とする請求項２記載のメカニカルスプライス。
【請求項４】
前記両方の光ファイバの素線同士が互いに突き当たるように前記両方の光ファイバをガイドする金属スリーブが、前記ファイバ収容孔内の前記第１の予圧空間部と前記第２の予圧空間部との間に収容されていることを特徴とする請求項２又は３記載のメカニカルスプライス。
【請求項５】
前記第１、第２の可動部材は、光ファイバ挿入可能位置から光ファイバ固定位置へ動いたとき、前記ハウジングに形成された係合爪に係合するフック部を有することを特徴とする請求項１〜４のいずれか１項記載のメカニカルスプライス。
【請求項６】
前記ハウジングは、光ファイバ挿入可能位置にある前記第１、第２の可動部材の揺動を規制する規制部を有することを特徴とする請求項１〜５のいずれか１項記載のメカニカルスプライス。
【考案の詳細な説明】
【技術分野】
【０００１】
この考案は光ファイバ同士をメカニカルに接続するメカニカルスプライスに関する。
【背景技術】
【０００２】
従来のメカニカルスプライスとして、ガイド溝基板と押さえ基板とこれらの基板を挟持する光ファイバ把持部材とを備えているものがある（下記特許文献参照）。
【０００３】
ガイド溝基板は、対向する光ファイバ同士をこれらが互いに突き合うようにガイドして位置決め調心するためのガイド溝を有する。このガイド溝はＶ溝（断面Ｖ字形の溝）である。
【０００４】
押さえ基板は、ガイド溝に挿入された光ファイバを押さえるための押さえ面を有する。
【０００５】
光ファイバ把持部材は断面ほぼＵ字形の板ばねである。
【０００６】
このメカニカルスプライスを用いた光ファイバの接続作業は次の通りである。
【０００７】
まず、ガイド溝基板のガイド溝と押さえ基板の押さえ面とが対向するようにガイド溝基板と押さえ基板とを重ね、両基板を光ファイバ把持部材で挟持する。次に、ガイド溝基板と押さえ基板との間にくさびを挿入する。その後、ガイド溝に一対の光ファイバを挿入し、光ファイバ端面同士を突き合わせる。最後に、ガイド溝基板と押さえ基板との間に挿入されているくさびを引き抜く。その結果、一対の光ファイバは光ファイバ把持部材のばね力で保持され、光ファイバ同士がメカニカルに接続される。
【特許文献１】特開２００４−２６４７５５号公報
【考案の開示】
【考案が解決しようとする課題】
【０００８】
上述のメカニカルスプライスには次のような問題がある。
【０００９】
ガイド溝基板と押さえ基板との間に挿入されているくさびを引き抜いたとき、ガイド溝から光ファイバ端面が持ち上がったり、ガイド溝の光ファイバ端面が後退したりすることがあり、光ファイバ同士を正しく接続できないことがあった。
【００１０】
また、たとえ光ファイバ同士の接続が正しく行われたとしても、何らかの原因により光ファイバにそれを引き抜く方向のわずかな外力が作用したとき、光ファイバが容易に抜けることがあった。
【００１１】
この考案はこのような事情に鑑みてなされたもので、その課題は、光ファイバ同士を確実に接続することができるとともに、接続状態の光ファイバが抜けにくいメカニカルスプライスを提供することである。
【課題を解決するための手段】
【００１２】
上述の課題を解決するため請求項１記載の考案のメカニカルスプライスは、一方の光ファイバの端部とこれに接続される他方の光ファイバの端部とを収容するハウジングと、前記ハウジングに収容された前記両方の光ファイバを前記ハウジングに固定するための光ファイバ固定手段とを備え、前記光ファイバ固定手段は、前記ハウジングの一端部に装着され、光ファイバ挿入可能位置から光ファイバ固定位置へ動いたとき、前記一方の光ファイバの端部を前記他方の光ファイバの端部に送るとともに前記ハウジングに固定する第１の可動部材と、前記ハウジングの他端部に装着され、前記光ファイバ挿入可能位置から前記光ファイバ固定位置へ動いたとき、前記他方の光ファイバの端部を前記一方の光ファイバの端部に送るとともに前記ハウジングに固定する第２可動部材とを有することを特徴とする。
【００１３】
上述のように光ファイバ固定手段は、ハウジングの一端部に装着され、光ファイバ挿入可能位置から光ファイバ固定位置へ動いたとき、一方の光ファイバの端部を他方の光ファイバの端部に送るとともにハウジングに固定する第１の可動部材と、ハウジングの他端部に装着され、光ファイバ挿入可能位置から光ファイバ固定位置へ動いたとき、他方の光ファイバの端部を一方の光ファイバの端部に送るとともにハウジングに固定する第２可動部材とを有しているので、両光ファイバをハウジングに収容した状態で、第１、第２の可動部材をそれぞれ光ファイバ挿入可能位置から光ファイバ固定位置に移動させれば、第１、第２の可動部材の送り部によって両光ファイバの端部同士が確実に突き合わされ、この状態が第１、第２の可動部材の押さえ部によって維持される。
【００１４】
請求項２記載の考案は、請求項１記載の考案のメカニカルスプライスにおいて、前記ハウジングは、前記両方の光ファイバの端部を収容するファイバ収容孔を有し、前記ファイバ収容孔は、前記一方の光ファイバの端部を撓ませるための第１の予圧空間部と、前記他方の光ファイバの端部を撓ませるための第２の予圧空間部とを有することを特徴とする。
【００１５】
請求項３記載の考案は、請求項２記載の考案のメカニカルスプライスにおいて、前記第１、第２の可動部材はいずれも回転式のレバーであって、前記第１の可動部材は、前記光ファイバ挿入可能位置から前記光ファイバ固定位置まで回転したとき、前記ハウジングの一端部に係合する第１の係合部と、前記光ファイバ挿入可能位置から前記光ファイバ固定位置まで回転する途中で、前記一方の光ファイバの被覆部に食い込んで前記一方の光ファイバを前記他方の光ファイバの端部へ送る第１の送り部と、前記光ファイバ挿入可能位置から前記光ファイバ固定位置まで回転したとき、前記一方の光ファイバを前記ファイバ収容孔の内周面に押圧する第１の押圧部とを有し、前記第２の可動部材は、前記光ファイバ挿入可能位置から前記光ファイバ固定位置まで回転したとき、前記ハウジングの他端部に係合する第２の係合部と、前記光ファイバ挿入可能位置から前記光ファイバ固定位置まで回転する途中で、前記他方の光ファイバの被覆部に食い込んで前記他方の光ファイバを前記一方の光ファイバの端部へ送る第２の送り部と、前記光ファイバ挿入可能位置から前記光ファイバ固定位置まで回転したとき、前記他方の光ファイバを前記ファイバ収容孔の内周面に押圧する第２の押圧部とを有することを特徴とする。
【００１６】
請求項４記載の考案は、請求項２又は３記載の考案のメカニカルスプライスにおいて、前記両方の光ファイバの素線同士が互いに突き当たるように前記両方の光ファイバをガイドする金属スリーブが、前記ファイバ収容孔内の前記第１の予圧空間部と前記第２の予圧空間部との間に収容されていることを特徴とする。
【００１７】
請求項５記載の考案は、請求項１〜４のいずれか１項記載の考案のメカニカルスプライスにおいて、前記第１、第２の可動部材は、光ファイバ挿入可能位置から光ファイバ固定位置へ動いたとき、前記ハウジングに形成された係合爪に係合するフック部を有することを特徴とする。
【００１８】
請求項６記載の考案は、請求項１〜５のいずれか１項記載の考案のメカニカルスプライスにおいて、前記ハウジングは、光ファイバ挿入可能位置にある前記第１、第２の可動部材の揺動を規制する規制部を有することを特徴とする。
【考案の効果】
【００１９】
以上に説明したようにこの考案によれば、光ファイバ同士を確実に接続することができるとともに、接続状態の光ファイバが抜けにくい。
【考案を実施するための最良の形態】
【００２０】
以下、この考案の実施の形態を図面に基づいて説明する。
【００２１】
図１Ａはこの考案の一実施形態のメカニカルスプライスの背面図、図１Ｂは同メカニカルスプライスの平面図、図２Ａは図１ＢのＡ−Ａ線に沿う断面図、図２Ｂは図１のメカニカルスプライスの側面図、図３は図１のメカニカルスプライスの底面図である。
【００２２】
このメカニカルスプライスは図１〜３に示すようにハウジング２とこのハウジング２の両端部に設けられた１対のレバー（光ファイバ固定手段）８，９とを備えている。
【００２３】
ハウジング２は第１ハウジング構成部品３と第２ハウジング構成部品５と第３ハウジング構成部品６と第４ハウジング構成部品７とで構成されている。
【００２４】
図４Ａは図１のメカニカルスプライスのハウジングの第１ハウジング構成部品の背面図、図４Ｂは同第１ハウジング構成部品の平面図、図５Ａは図４ＢのＢ−Ｂ線に沿う断面図、図５Ｂは図４の第１ハウジング構成部品の底面図、図６Ａは図４ＢのＣ−Ｃ線に沿う断面図、図６Ｂは図４ＢのＤ−Ｄ線に沿う断面図、図６Ｃは図４ＢのＥ−Ｅ線に沿う断面図、図６Ｄは図４ＢのＦ−Ｆ線に沿う断面図、図６Ｅは図４の第１ハウジング構成部品の側面図である。
【００２５】
図４〜６に示すように、第１ハウジング構成部品３はほぼ角柱状であり、その上面３ａにはスリーブ収容溝３０と第１光ファイバ収容溝３１と第２光ファイバ収容溝３２とが形成されている。第１ハウジング構成部品３は緑色の透明な樹脂で形成されている。スリーブ収容溝３０は上面３ａの中央に位置している。第１光ファイバ収容溝３１の一端はスリーブ収容溝３０に通じ、他端は第１ハウジング構成部品３の長手方向一端面に達する。第１光ファイバ収容溝３１の一端部には狭窄部３１ａが形成され、他端部にはテーパ面３１ｂが形成されている。第１光ファイバ収容溝３１の狭窄部３１ａの幅はそれ以外の部分の幅よりも小さく、光ファイバ１７（図２参照）の径よりも僅かに大きい。テーパ面３１ｂは２色成型により、白く着色されている。第１光ファイバ収容溝３１は湾曲部３１ｃを有する（図２参照）。第２光ファイバ収容溝３２の一端はスリーブ収容溝３０に通じ、他端は第１ハウジング構成部品３の長手方向他端面に達している。第２光ファイバ収容溝３２の一端部には狭窄部３２ａが形成され、他端部にはテーパ面３２ｂが形成されている。第２光ファイバ収容溝３２の狭窄部３２ａの幅はそれ以外の部分の幅よりも小さく、光ファイバ１８（図２参照）の径よりも僅かに大きい。テーパ面３２ｂはテーパ面３１ｂと同様に白く着色されている。第２光ファイバ収容溝３２は湾曲部３２ｃを有する（図２参照）。
【００２６】
第１ハウジング構成部品３の一端部には第１レバー収容孔３３と第１レバー収容溝３５とが形成されている。第１レバー収容孔３３は第１ハウジング構成部品３の上面３ａから下面３ｃへ延びる。第１レバー収容孔３３は第１光ファイバ収容溝３１に通じている。第１レバー収容孔３３の断面形状は矩形である。第１レバー収容孔３３の相対する内面には凹部である第１軸受部４１が対向するように形成されている。また、第１レバー収容孔３３の相対する内面には突起（規制部）４３が対向するように形成されている。第１レバー収容溝３５は第１ハウジング構成部品３の底面３ｃに形成されている。第１ハウジング構成部品３の長手方向一端面には第１係合爪３７が形成されている。
【００２７】
第１ハウジング構成部品３の他端部には第２レバー収容孔３４と第２レバー収容溝３６とが形成されている。第２レバー収容孔３４は第１ハウジング構成部品３の上面３ａから下面３ｃへ延びる。第２レバー収容孔３４は第２光ファイバ収容溝３２に通じている。第２レバー収容孔３４の断面形状は矩形である。第２レバー収容孔３４の相対する内面には凹部である第２軸受部４２が対向するように形成されている。また、第２レバー収容孔３４の相対する内面には突起（規制部）４３が対向するように形成されている。第２レバー収容溝３６は第１ハウジング構成部品３の底面３ｃに形成されている。第１ハウジング構成部品３の長手方向他端面には第２係合爪３８が形成されている。
【００２８】
第１ハウジング構成部品３の上面３ａの両端部にはそれれぞれ４つの位置決め穴４６が形成されている。第１ハウジング構成部品３の一端部の４つの位置決め穴４６は第１レバー収容孔３３を取り囲むように、第１ハウジング構成部品３の他端部の４つの位置決め穴４６は第２レバー収容孔３４を取り囲むようにそれぞれ配置されている。位置決め穴４６は第１ハウジング構成部品３の高さ方向へ延びている。
【００２９】
第１ハウジング構成部品３の正面及び背面にはそれぞれ２つの凹部４４が形成されている。各凹部４４の底面には突起４５が形成さている。突起４５には傾斜面４５ａが形成されている（図６Ａ参照）。
【００３０】
図７Ａは図１のメカニカルスプライスのハウジングの第２ハウジング構成部品の背面図、図７Ｂは同第２ハウジング構成部品の平面図、図８Ａは図７ＢのＧ−Ｇ線に沿う断面図、図８Ｂは図７の第２ハウジング構成部品の底面図、図９Ａは図７ＢのＨ−Ｈ線に沿う断面図、図９Ｂは図７ＢのＩ−Ｉ線に沿う断面図、図９Ｃは図７ＢのＪ−Ｊ線に沿う断面図である。
【００３１】
図７〜９に示すように、第２ハウジング構成部品５は平板部５１と突出片５２とを有する。第２ハウジング構成部品５は無色透明の樹脂で形成されている。
【００３２】
平板部５１の下面５１ｃにはスリーブ収容溝５３と第３光ファイバ収容溝５４と第４光ファイバ収容溝５５とが形成されている。スリーブ収容溝５３は下面５１ｃの中央に位置している。第３光ファイバ収容溝５４の一端はスリーブ収容溝５３に通じ、他端は第２ハウジング構成部品５の長手方向一端に達している。第４光ファイバ収容溝５５の一端はスリーブ収容溝５３に通じ、他端は第２ハウジング構成部品５の長手方向他端面に達している。
【００３３】
突出片５２は平板部５１に結合されている。突出片５２には孔５２ａが形成されている。突出片５２は第１ハウジング構成部品３の凹部４４（図４Ａ，４Ｂ参照）に収容される。孔５２ａは突出片５２が凹部４４に収容されたときに突起４５を受け容れる。これにより、突出片５２は第１ハウジング構成部品３に係止され、第２ハウジング構成部品５は第１ハウジング構成部品３に接合される。
【００３４】
図１０Ａは図１のメカニカルスプライスのハウジングの第３ハウジング構成部品の平面図、図１０Ｂは同第３ハウジング構成部品の正面図、図１０Ｃは図１０ＡのＫ−Ｋ線に沿う断面図、図１０Ｄは同第３ハウジング構成部品の底面図、図１０Ｅは同第３ハウジング構成部品の側面図、図１０Ｆは図１０ＡのＬ−Ｌ線に沿う断面図である。
【００３５】
図１０に示すように、第３ハウジング構成部品６の下面６ｃには第５光ファイバ収容溝６１と軸押さえ６２と位置決めピン６３とが形成されている。第３ハウジング構成部品６は緑色の透明な樹脂で形成されている。
【００３６】
第５光ファイバ収容溝６１は第３ハウジング構成部品６の長手方向の一端から他端へ延びる。第５光ファイバ収容溝６１の一端部にはテーパ面６１ａが形成されている。テーパ面６１ａは２色成型により、白く着色されている。
【００３７】
軸押さえ６２は、第３ハウジング構成部品６が第１ハウジング構成部品３に固着されたときに、第１ハウジング構成部品３の第１軸受け部４１内に配置される（図２Ａ参照）。
【００３８】
位置決めピン６３は第１ハウジング構成部品３の一端部の位置決め穴４６（図４Ｂ参照）に挿入され、第１ハウジング構成部品３に対して第３ハウジング構成部品６が正確に位置決めされる。
【００３９】
第３ハウジング構成部品６は第１ハウジング構成部品３の一端部に接着剤により固着される。
【００４０】
第４ハウジング構成部品７は第３ハウジング構成部品６と同じ構成であるので、詳細な説明は省略する。
【００４１】
図１、２に示すように、第４ハウジング構成部品７は第６光ファイバ収容溝７１と軸押さえ７２と位置決めピン７３とを有する。
【００４２】
第６光ファイバ収容溝７１の一端部のテーパ面７１ａは２色成型により、白く着色されている。
【００４３】
軸押さえ７２は第１ハウジング構成部品３の第２軸受け部４２内に配置される。
【００４４】
位置決めピン７３は第１ハウジング構成部品３の他端部の位置決め穴４６（図４Ｂ参照）に挿入される。
【００４５】
第４ハウジング構成部品７は第１ハウジング構成部品３の他端部に接着剤により固着される。
【００４６】
図２に示すように、上述の第１ハウジング構成部品３の第１光ファイバ収容溝３１と第２ハウジング構成部品５の第３光ファイバ収容溝５４と第３ハウジング構成部品６の第５光ファイバ収容溝６１とで第１光ファイバ挿入孔１１が構成されている。第１光ファイバ挿入孔１１は光ファイバ１７を収容する。
【００４７】
また、第１ハウジング構成部品３の第２光ファイバ収容溝３２と第２ハウジング構成部品５の第４光ファイバ収容溝５５と第４ハウジング構成部品７の第６光ファイバ収容溝７１とで第２光ファイバ挿入孔１２が構成されている。第２光ファイバ挿入孔１２は光ファイバ１８を収容する。
【００４８】
また、第１ハウジング構成部品３のスリーブ収容溝３０と第２ハウジング構成部品５のスリーブ収容溝５３とでスリーブ挿入孔１３が構成されている。スリーブ挿入孔１３内にはスリーブ（金属スリーブ）１０が収容される。スリーブ１０は金属製であり、例えば、圧延により形成されている。スリーブ１０は素線収容孔１０１を有する。素線収容孔１０１内にはマッチングオイル（図示せず）が充填されている。素線収容孔１０１の両端にはテーパ面１０１ａが形成されている。
【００４９】
更に、第１光ファイバ挿入孔１１と第２光ファイバ挿入孔１２とスリーブ挿入孔１３とで光ファイバ収容孔１４が構成されている。
【００５０】
また、湾曲部３１ｃと第３光ファイバ収容溝５４とで第１の予圧空間部１５が構成され、湾曲部３２ｃと第４光ファイバ収容溝５５とで第２の予圧空間部１６が構成されている。
【００５１】
図２に示すように、第１、第２レバー８，９は互いに同じ構成であるので、主に第１レバー８について説明する。
【００５２】
図１１は図１のメカニカルスプライスのレバーをロックした状態の断面図、図１２Ａは図１のメカニカルスプライスのレバーの平面図、図１２Ｂは同レバーの正面図である。
【００５３】
図１１、１２に示すように、第１レバー（第１の可動部材）８は軸部８１とフック部（係合部）８２と押圧部８３（送り部と押さえ部とが一体化されたもの）と凸部８４とアーム部８５とを有している。
【００５４】
軸部８１は円柱状であり、レバー８の一端部の正面及び背面にそれぞれ形成されている。フック部８２はほぼ鉤状であり、レバー８の他端部に形成されている。押圧部８３は軸部８１の近傍に形成されている。凸部８４は押圧部８３に隣接している。アーム部８５は軸部８１とフック部８２とを結合している。
【００５５】
第１レバー８はハウジング２の一端部の第１レバー収容孔３３内に収容されている。第１レバー８の軸部８１は第１軸受部４１に支持され、軸押さえ６２によってぐらつかないように押さえ付けられている。これにより、第１レバー８は軸部８１を中心にして回転可能である。
【００５６】
図２に示すように、第２レバー（第２の可動部材）９は軸部９１とフック部（係合部）９２と押圧部９３（送り部と押さえ部とが一体化されたもの）と凸部９４とアーム部９５とを有している。
【００５７】
第２レバー９はハウジング２の他端部の第２レバー収容孔３４内に収容されている。第２レバー９の軸部９１は第２軸受部４２に支持され、軸押さえ７２によってぐらつかないように押さえ付けられている。
【００５８】
図２において、第２レバー９は光ファイバ挿入可能位置にある。第２レバー９のフック部９２は第２係合爪３８から外れている。このとき、押圧部９３は第２光ファイバ挿入孔１２から抜け出し、押圧部９３と凸部９４とが突起４３に軽く接触し、第２レバー９が光ファイバ挿入可能位置から動くのを抑えられている。アーム部９５は第２レバー収容溝３６から抜け出している。第２レバー９が光ファイバ挿入可能位置にあるとき、光ファイバ１８を第２光ファイバ挿入孔１２に対して挿抜することができる。
【００５９】
図２において、第１レバー８は光ファイバ固定位置にある。第１レバー８のフック部８２は第１係合爪３７に係合している。押圧部８３は第１光ファイバ挿入孔１１内に進入している。アーム部８５は第１レバー収容溝３５内に収容される。第１レバー８が光ファイバ固定位置にあるとき、光ファイバ１７は押圧部８３によって第１光ファイバ挿入孔１１の内面に押し付けられるので、光ファイバ１７が容易に抜けない。
【００６０】
次に、この実施形態のメカニカルスプライスを用いた光ファイバ１７，１８の接続作業について説明する。
【００６１】
接続作業に先立ち、予め第２ハウジング構成部品５を第１ハウジング構成部品３に接合しておく。スリーブ挿入孔１３内にはスリーブ１０を収容しておく。また、光ファイバ１７，１８の末端部の被覆部（図示せず）を除去し、素線（図示せず）を露出させておく。
【００６２】
まず、２つのレバー８，９の位置を光ファイバ挿入可能位置にする。
【００６３】
次に、光ファイバ１７を第１光ファイバ挿入孔１１に、光ファイバ１８を第２光ファイバ挿入孔１２にそれぞれ挿入するとともに、光ファイバ１７，１８の素線をそれぞれスリーブ１０の素線収容孔１０１内に挿入する。
【００６４】
その後、２つのレバー８，９を光ファイバ挿入可能位置から光ファイバ固定位置へと回転させる。
【００６５】
このとき、押圧部８３，９３が光ファイバ挿入孔１１，１２内に入り、光ファイバ１７，１８と接触する。
【００６６】
その後、押圧部８３，９３は光ファイバ１７，１８をハウジング２の中央部の方へ送る。この結果、光ファイバ１７，１８の素線同士が互いに突き当たるので、光ファイバ１７，１８は第１、第２予圧空間部１５，１６内で撓む。この結果、光ファイバ１７，１８の端面間に互いに押し合う力が生じる。この予圧は素線同士を常に突き合せる力となる。
【００６７】
また、レバー８，９が光ファイバ固定位置まで回転したとき、レバー８，９のフック部８２，９２が係合爪３７，３８に係合する。このとき、レバー８，９の押圧部８３，９３が光ファイバ１７，１８を光ファイバ挿入孔１１，１２の内面に強く押し付けるので、光ファイバ１７，１８はハウジング２に固定され、容易に引き抜けなくなる。
【００６８】
以上の操作により、光ファイバ１７，１８の接続が完了する。
【００６９】
光ファイバ１７，１８の接続を解くには、レバー８，９のフック部８２，９２を係止爪３７，３８から外せばよい。
【００７０】
この実施形態のメカニカルスプライスによれば、次の作用効果を奏する。
【００７１】
レバー８，９を光ファイバ挿入可能位置から光ファイバ固定位置へ回転させると、光ファイバ１７，１８の素線の端面間に互いに押し合う力が生じるので、例えば、外部環境の変化（温度変化等）に左右されることなく、光ファイバ１７，１８同士を確実に接続することができる。
【００７２】
また、レバー８，９が光ファイバ固定位置にあるとき、レバー８，９の押圧部８３，９３は光ファイバ１７，１８を光ファイバ挿入孔１１，１２の内面に強く押し付けるので、光ファイバ１７，１８はハウジング２に確実に固定され、光ファイバ１７，１８が抜けにくくなる。
【００７３】
更に、ハウジング２を構成する第１、第２、第３及び第４ハウジング構成部品３，５，６，７が透明な樹脂で成形されているので、光ファイバ１７，１８の素線をスリーブ１０に容易に挿入することができ、作業効率が向上する。
【００７４】
なお、この実施形態では、光ファイバ固定手段としてレバー８，９を採用したが、光ファイバ固定手段はレバー８，９に限られない。例えば、ハウジングの長手方向に沿って光ファイバ挿入可能位置とファイバ固定位置との間を往復動できるスライダを採用してもよい。
【００７５】
また、この実施形態では、レバー８，９の押圧部８３，９３が送り部と押さえ部とが一体のものであるが、必ずしもこのように構成する必要は無く、光ファイバをハウジングの中央部の方へ送る送り部と光ファイバをハウジングに押し付けて光ファイバを押さえ付ける押さえ部とを分けても構わない。
【００７６】
なお、レバー８，９の押圧部８３，９３の数は１つでも、複数でも構わない。
【００７７】
また、この実施形態では、スリーブ１０を用いているが、スリーブ１０を用いなくても構わない。この場合、素線収容孔をハウジング２に形成する。
【００７８】
なお、上述の各実施形態では１対の光ファイバ同士を接続するメカニカルスプライスについて述べたが、複数対の光ファイバ同士を接続するメカニカルスプライス（多芯用のメカニカルスプライス）にも本発明を適用することができる。
【図面の簡単な説明】
【００７９】
【図１Ａ】図１Ａはこの考案の一実施形態のメカニカルスプライスの背面図である。
【図１Ｂ】図１Ｂは同メカニカルスプライスの平面図である。
【図２Ａ】図２Ａは図１ＢのＡ−Ａ線に沿う断面図である。
【図２Ｂ】図２Ｂは図１のメカニカルスプライスの側面図である。
【図３】図３は図１のメカニカルスプライスの底面図である。
【図４Ａ】図４Ａは図１のメカニカルスプライスのハウジングの第１ハウジング構成部品の背面図である。
【図４Ｂ】図４Ｂは同第１ハウジング構成部品の平面図である。
【図５Ａ】図５Ａは図４ＢのＢ−Ｂ線に沿う断面図である。
【図５Ｂ】図５Ｂは図４の第１ハウジング構成部品の底面図である。
【図６Ａ】図６Ａは図４ＢのＣ−Ｃ線に沿う断面図である。
【図６Ｂ】図６Ｂは図４ＢのＤ−Ｄ線に沿う断面図である。
【図６Ｃ】図６Ｃは図４ＢのＥ−Ｅ線に沿う断面図である。
【図６Ｄ】図６Ｄは図４ＢのＦ−Ｆ線に沿う断面図である。
【図６Ｅ】図６Ｅは図４の第１ハウジング構成部品の側面図である。
【図７Ａ】図７Ａは図１のメカニカルスプライスのハウジングの第２ハウジング構成部品の背面図である。
【図７Ｂ】図７Ｂは同第２ハウジング構成部品の平面図である。
【図８Ａ】図８Ａは図７ＢのＧ−Ｇ線に沿う断面図である。
【図８Ｂ】図８Ｂは図７の第２ハウジング構成部品の底面図である。
【図９Ａ】図９Ａは図７ＢのＨ−Ｈ線に沿う断面図である。
【図９Ｂ】図９Ｂは図７ＢのＩ−Ｉ線に沿う断面図である。
【図９Ｃ】図９Ｃは図７ＢのＪ−Ｊ線に沿う断面図である。
【図１０Ａ】図１０Ａは図１のメカニカルスプライスのハウジングの第３ハウジング構成部品の平面図である。
【図１０Ｂ】図１０Ｂは同第３ハウジング構成部品の正面図である。
【図１０Ｃ】図１０Ｃは図１０ＡのＫ−Ｋ線に沿う断面図である。
【図１０Ｄ】図１０Ｄは同第３ハウジング構成部品の底面図である。
【図１０Ｅ】図１０Ｅは同第３ハウジング構成部品の側面図である。
【図１０Ｆ】図１０Ｆは図１０ＡのＬ−Ｌ線に沿う断面図である。
【図１１】図１１は図１のメカニカルスプライスのレバーをロックした状態の断面図である。
【図１２Ａ】図１２Ａは図１のメカニカルスプライスのレバーの平面図である。
【図１２Ｂ】図１２Ｂは同レバーの正面図である。
【符号の説明】
【００８０】
１  メカニカルスプライス
２  ハウジング
３  第１ハウジング構成部品
４３  突起（規制部）
５  第２ハウジング構成部品
６  第３ハウジング構成部品
７  第４ハウジング構成部品
８  レバー（第１の可動部材）
８２  フック部（第１の係合部）
８３  押圧部（送り部と押さえ部とが一体化されたもの）
９  レバー（第２の可動部材）
９２  フック部（第２の係合部）
９３  押圧部（送り部と押さえ部とが一体化されたもの）
１１  第１光ファイバ挿入孔
１２  第２光ファイバ挿入孔
１３  スリーブ挿入孔
１４  光ファイバ収容孔
１５  第１の予圧空間部
１６  第２の予圧空間部
１７  一方の光ファイバ
１８  他方の光ファイバ
【図１Ａ】
0003121157.tif 000003
【図１Ｂ】
0003121157.tif 000004
【図２Ａ】
0003121157.tif 000005
【図２Ｂ】
0003121157.tif 000006
【図３】
0003121157.tif 000007
【図４Ａ】
0003121157.tif 000008
【図４Ｂ】
0003121157.tif 000009
【図５Ａ】
0003121157.tif 000010
【図５Ｂ】
0003121157.tif 000011
【図６Ａ】
0003121157.tif 000012
【図６Ｂ】
0003121157.tif 000013
【図６Ｃ】
0003121157.tif 000014
【図６Ｄ】
0003121157.tif 000015
【図６Ｅ】
0003121157.tif 000016
【図７Ａ】
0003121157.tif 000017
【図７Ｂ】
0003121157.tif 000018
【図８Ａ】
0003121157.tif 000019
【図８Ｂ】
0003121157.tif 000020
【図９Ａ】
0003121157.tif 000021
【図９Ｂ】
0003121157.tif 000022
【図９Ｃ】
0003121157.tif 000023
【図１０Ａ】
0003121157.tif 000024
【図１０Ｂ】
0003121157.tif 000025
【図１０Ｃ】
0003121157.tif 000026
【図１０Ｄ】
0003121157.tif 000027
【図１０Ｅ】
0003121157.tif 000028
【図１０Ｆ】
0003121157.tif 000029
【図１１】
0003121157.tif 000030
【図１２Ａ】
0003121157.tif 000031
【図１２Ｂ】
0003121157.tif 000032
【手続補正書】
【提出日】平成18年3月1日(2006.3.1)
【手続補正１】
【補正対象書類名】明細書
【補正対象項目名】００４０
【補正方法】変更
【補正の内容】
【００４０】
第４ハウジング構成部品７は第３ハウジング構成部品６と同じ構成であるので、その説明を省略する。
【手続補正２】
【補正対象書類名】明細書
【補正対象項目名】００６５
【補正方法】変更
【補正の内容】
【００６５】
このとき、押圧部８３，９３が光ファイバ挿入孔１１，１２内に入り、光ファイバ１７，１８をハウジング２の中央部の方へ送る。この結果、光ファイバ１７，１８の素線同士が互いに突き当たるので、光ファイバ１７，１８は第１、第２予圧空間部１５，１６内で撓み、光ファイバ１７，１８の端面間に互いに押し合う力が生じる。この予圧は素線同士を常に突き合せる力として作用する。
【手続補正３】
【補正対象書類名】明細書
【補正対象項目名】００６６
【補正方法】削除
【補正の内容】
【手続補正４】
【補正対象書類名】明細書
【補正対象項目名】００７５
【補正方法】変更
【補正の内容】
【００７５】
また、この実施形態では、レバー８，９の押圧部８３，９３が送り部と押さえ部とが一体のものであるが、必ずしもこのように構成する必要は無く、光ファイバをハウジングの中央部の方へ送る送り部と光ファイバをハウジングに押し付けて光ファイバを押さえ付ける押さえ部とを別にしても構わない。
【手続補正５】
【補正対象書類名】図面
【補正対象項目名】図１Ａ
【補正方法】変更
【補正の内容】
【図１Ａ】
0003121157.tif 000033
【手続補正６】
【補正対象書類名】図面
【補正対象項目名】図１Ｂ
【補正方法】変更
【補正の内容】
【図１Ｂ】
0003121157.tif 000034
【手続補正７】
【補正対象書類名】図面
【補正対象項目名】図３
【補正方法】変更
【補正の内容】
【図３】
0003121157.tif 000035
【手続補正８】
【補正対象書類名】図面
【補正対象項目名】図７Ａ
【補正方法】変更
【補正の内容】
【図７Ａ】
0003121157.tif 000036